(57)【要約】【課題】従来は高解像度ラインセンサを用いて映画フィルムの光像をディジタル映像信号として得るため、撮像に長時間必要であり、映画フィルムの固定を長時間行わなければならない。【解決手段】フィルム映写装置１は、映画フィルム１６に光を照射し、その映画フィルム１６の各駒の光像を形成する。撮像装置２はハイビジョン方式の画素数よりも多画素数の二次元撮像領域を有するローリングシャッター機能を有する撮像装置で、その撮像領域が複数に分割されて分割撮像領域のそれぞれにより映画フィルム１６の光像を撮像して複数のハイビジョン映像信号を出力する。画像記録装置３ａ〜３ｄは、撮像装置２から出力された複数のハイビジョン映像信号を記録する。これにより、高解像度ラインセンサに比べて短時間で高解像度の映像信号を得ることができる。【選択図】            図１
2004166026.tif 000002
【特許請求の範囲】
【請求項１】
映画フィルムに光を照射し、その映画フィルムの各駒の光像を形成するフィルム映写装置と、
前記映画フィルムの各駒の光像を、分割した二次元の撮像領域により撮像して複数のハイビジョン映像信号を出力する、ローリングシャッター機能を備えた高精細撮像装置と、
前記高精細撮像装置から出力された前記複数のハイビジョン映像信号を記録する録画装置と
を有することを特徴とするテレシネ装置。
【請求項２】
前記フィルム映写装置は、前記高精細撮像装置から入力される垂直同期信号に基づいて、前記複数のハイビジョン映像信号のほぼ垂直帰線消去期間のみ前記映画フィルムに光を照射して前記映画フィルムの光像を形成し、前記ほぼ垂直帰線消去期間以外の期間は前記光の照射を停止する光源制御手段と、前記映画フィルムに光を照射する期間は該映画フィルムを静止し、前記光の照射停止期間中に前記映画フィルムを次の駒まで移動する映画フィルム移動制御手段とを有することを特徴とする請求項１記載のテレシネ装置。
【請求項３】
前記フィルム映写装置は、前記高精細撮像装置から入力される垂直同期信号に基づいて、前記複数のハイビジョン映像信号のほぼ垂直同期信号期間では前記映画フィルムに光を照射し、次のほぼ垂直同期信号期間では前記光の照射を停止することを交互に繰り返す光源制御手段と、前記映画フィルムに光を照射する期間は該映画フィルムを静止し、前記光の照射停止期間中に前記映画フィルムを次の駒まで移動する映画フィルム移動制御手段とを有し、
前記高精細撮像装置は、前記分割した撮像領域により前記映画フィルムの光像を撮像して得た信号の読み出しを前記映画フィルムへの光照射期間は停止し、前記映画フィルムへの光照射停止期間に前記撮像して得た信号の読み出しを行って前記複数のハイビジョン映像信号を出力する読み出し手段を有することを特徴とする請求項１記載のテレシネ装置。
【発明の詳細な説明】
【０００１】
【発明の属する技術分野】
本発明は映画用フィルムからディジタル映像信号を作成するテレシネ装置に係り、特にハイビジョン方式等の高画質テレビ（ＨＤＴＶ：Ｈｉｇｈ  Ｄｅｆｉｎｉｔｉｏｎ  ＴＶ）画像以上の画素数を持つ撮像装置を用いて、写真並みの高精細高画質の画像をディジタル映像信号に変換するテレシネ装置に関する。
【０００２】
【従来の技術】
図９は従来のテレシネ装置の一例の構成図を示す。同図において、フィルム映写装置１から映画フィルムの光像を出力し、これを撮像装置６にて撮像してディジタル映像信号Ｖｄａｔａに変換する。このディジタル映像信号Ｖｄａｔａは、画像データ処理装置４に供給されて所定の信号処理が行われる。画像データ処理装置４はパーソナルコンピュータ（ＰＣ）を主体に構成されており、例えば映像信号がＮＴＳＣ方式であれば映像信号取り込み用のキャプチャーボードＨＣ−１００（日本ビクター株式会社製）を用いてＰＣ本体に映像信号Ｖｄａｔａを取り込む。
【０００３】
ＰＣ本体では取り込んだ映像信号Ｖｄａｔａを所定の処理（例えば、直流成分、信号レベル、画像輪郭、色表現等）を行い、所定の処理が終了したら記録メディア（ＦＤ，ＣＤ等）に記録し、映画フィルム画像をディジタル映像信号として変換保存する。
【０００４】
ここで、撮像装置６の撮像素子として電荷転送素子（ＣＣＤ）を用いる場合、撮像装置６はフレームメモリを内蔵しているため、図１０（ａ）に示す様に、電子シャッターは１画面分同時に被写体光像を蓄積し、これをフレームメモリに転送して格納した後、１ラインずつ順次読み出すフレームシャッターとなる。従って、フレームシャッターの被写体光像を蓄績しない期間に映画フィルムを移動させることができる。
【０００５】
一方、撮像装置６の撮像素子として低電力で高速性能が良く画素数の多い撮像素子に向いているＣＭＯＳを用いる場合、フレームメモリを所有しない場合、図１０（ｂ）に示す様に、１ライン毎の蓄積時間終了後、直ぐに読み出すため、蓄積時間が異なるローリングシャッターとなり、被写体光像を連続して蓄積しなければならず、フレームシャッターの様に被写体光像を蓄積しない期間が映像信号期間では無かった。
【０００６】
ところで、例えば３５ｍｍ映画フィルムの解像度は３８４０×２０７０画素数といわれている（非特許文献１参照）。従って、撮像装置６として、ＮＴＳＣ方式用撮像装置（６４０×４８０画素）、あるいはＨＤＴＶ方式用撮像装置（１９２０×１０８０画素）で表現する画素数では、上記の映画フィルムの解像度に比べて不足しているのは明らかである。このため、従来は撮像装置６として画素数３８４０以上の高解像度ラインセンサを用いてライン毎に映画フィルムを撮像している。
【０００７】
【非特許文献１】
ＵＳＨＩＯ  ＬＩＧＨＴ  ＥＤＧＥ  １９、インターネット＜ＵＲＬ：ｈｔｔｐ：／／ｗｗｗ１．ｕｓｈｉｏ．ｃｏ．ｊｐ／ｔｅｃｈ／ｌｅ／ｌｅ１９／１９＿０２＿０８．ｈｔｍｌ＞
【０００８】
【発明が解決しようとする課題】
しかるに、上記の高解像度ラインセンサを用いて映画フィルムの光像をディジタル映像信号として得るためには、高解像度ラインセンサをライン毎に移動するため、撮像に長時間必要であり、このため、映画フィルムの固定を長時間行わなければならず、映画フィルム自体の振動ずれ等にも十分配慮しなければならなかい。
【０００９】
本発明は以上の点に鑑みなされたもので、映画フィルムの光像を、写真並みの高精細、高解像度のディジタル映像信号として短時間に得るローリングシャッターのＣＭＯＳセンサを用いたテレシネ装置を提供することを目的とする。
【００１０】
【課題を解決するための手段】
上記の目的を達成するため、第１の発明は映画フィルムに光を照射し、その映画フィルムの各駒の光像を形成するフィルム映写装置と、映画フィルムの各駒の光像を、分割した二次元の撮像領域により撮像して複数のハイビジョン映像信号を出力する、ローリングシャッター機能を備えた高精細撮像装置と、高精細撮像装置から出力された複数のハイビジョン映像信号を記録する録画装置とを有する構成としたものである。
【００１１】
この発明では、高精細撮像装置から取り出された映画フィルムの一駒の画像に関する複数のハイビジョン映像信号を録画装置に記録するようにしたため、映画フィルムの光像を撮像した、ハイビジョン方式（ＨＤＴＶ方式）の画像よりも高解像度のディジタル画像信号を記録することができる。
【００１２】
また、上記の目的を達成するため、第２の発明は、第１の発明のフィルム映写装置を、高精細撮像装置から入力される垂直同期信号に基づいて、複数のハイビジョン映像信号のほぼ垂直帰線消去期間のみ映画フィルムに光を照射して映画フィルムの光像を形成し、ほぼ垂直帰線消去期間以外の期間は光の照射を停止する光源制御手段と、映画フィルムに光を照射する期間は映画フィルムを静止し、光の照射停止期間中に映画フィルムを次の駒まで移動する映画フィルム移動制御手段とを有する構成としたことを特徴とする。
【００１３】
ローリングシャッター機能を有する撮像素子において、映像信号を読み出さない垂直帰線消去期間に映画フィルムに光を照射して映画フィルムの光像を撮像するようにしたため、撮像素子の各ラインの画素はすべて同一時間に光像を得ることができる。
【００１４】
また、上記の目的を達成するため、第３の発明は、第１の発明のフィルム映写装置を、高精細撮像装置から入力される垂直同期信号に基づいて、複数のハイビジョン映像信号のほぼ垂直同期信号期間では映画フィルムに光を照射し、次のほぼ垂直同期信号期間では光の照射を停止することを交互に繰り返す光源制御手段と、映画フィルムに光を照射する期間は映画フィルムを静止し、光の照射停止期間中に映画フィルムを次の駒まで移動する映画フィルム移動制御手段とを有する構成とし、また、第１の発明の高精細撮像装置を、分割した撮像領域により映画フィルムの光像を撮像して得た信号の読み出しを映画フィルムへの光照射期間は停止し、映画フィルムへの光照射停止期間に撮像して得た信号の読み出しを行って複数のハイビジョン映像信号を出力する読み出し手段を有する構成としたものである。
【００１５】
この発明では、ほぼ垂直同期信号期間という垂直帰線消去期間に比し長い期間で撮像した信号に基づいて、ローリングシャッター機能を有する撮像素子から複数のハイビジョン映像信号を出力することができる。
【００１６】
【発明の実施の形態】
次に、本発明の実施の形態について図面と共に説明する。図１は本発明になるテレシネ装置の一実施の形態の概略構成図を示す。同図において、まず、フィルム映写装置１から３５ｍｍ映画フィルム等の映画フィルム１６の光像が撮像装置２に照射される。撮像装置２は後述するように、映画フィルム１６の光像を同一平面上で４分割してハイビジョン直列信号ＨＤ０〜ＨＤ３に変換して映像信号Ｖｄａｔａとして出力する。
【００１７】
４つのハイビジョン直列信号ＨＤ０〜ＨＤ３（映像信号Ｖｄａｔａ）は、それぞれハイビジョン録画装置で構成される４つの画像記録装置３ａ、３ｂ、３ｃ及び３ｄに別々に入力されてハイビジョン映像信号として記録される。画像記録装置３ａ、３ｂ、３ｃ及び３ｄは種々の記録媒体（光ディスク、磁気テープ、磁気ディスク、ＬＳＩ等）で映像信号Ｖｄａｔａを保存する。記録された映像信号は必要に応じて表示装置で再現する。
【００１８】
図２は図１中のフィルム映写装置１の一例の詳細構成図を示す。図２において、供給リール１０に巻回されている映画フィルム１６は、繰り出されてガイドポール群１７、スプロケット１１、光学装置１２、スプロケット１１、ガイドポール群１７を経由して巻き取りリール１５に巻き取られる。映画フィルム１６が装着されると、駆動制御装置１８により供給リール１０、巻き取りリール１５を回転駆動制御して映画フィルム１６を供給リール１０から巻き取りリール１５方向へ移動させて、スプロケット１１で光学装置１２のシャッター部１３の位置に最初の映画フィルム１６の駒を静止させる。
【００１９】
次に、光源１４をオンにし、シャッター部１３を開くことにより映画フィルム１６の最初の駒の光像が出力される。次に、シャッター部１３を閉じ、光源１４をオフにして次の駒がシャッター部１３の位置にくるまで、映画フィルム１６を移動させてから静止させる。以下、同様にして順次映画フィルム１６の各駒の光像を出力する。これらの各駒の光像は、撮像装置２により撮像される。
【００２０】
図３は図１中の撮像装置２に用いられるローリングシャッター機能を有する高精細撮像素子の一例の構成図を示す。図３において、撮像素子の要部の画素構成部２１はＣＭＯＳで構成されており、水平方向に３８４０個、垂直方向に２１６０個の画素が二次元マトリクス状に配列されており、更に、駆動周波数を低くするために、水平方向に８分割されて８つの分割撮像領域Ｓ０〜Ｓ７のそれぞれから互いに独立に被写体光像を撮像して電気信号に変換する構成とされている。
【００２１】
従って、分割撮像領域Ｓ０〜Ｓ７の各々は、水平方向４８０画素、垂直方向２１６０画素であり、水平方向の画素数がＨＤＴＶ画像の１９２０画素の１／４倍であり、垂直方向の画素数がＨＤＴＶ画像の２１６０画素と同一画素数である。また、分割撮像領域Ｓ０〜Ｓ７は画素構成部２１を水平方向に８分割したもので、垂直方向には分割されておらず、垂直方向は連続して画素に照射された被写体光像の電気信号を出力する。
【００２２】
一方、画素構成部２１の各画素を選択する駆動部は、水平同期信号駆動部２２と垂直同期信号駆動部２３より構成される。水平同期信号駆動部２２は、８つの分割撮像領域Ｓ０、Ｓ１、・・・、Ｓ７に１対１に対応して、８個の水平アドレス回路Ｈａｄ０、Ｈａｄ１、・・・、Ｈａｄ７を有しており、ＨＤＴＶ方式の水平駆動信号の２倍の周波数を持つ水平同期信号２ＨＤと、ＨＤＴＶ方式と同じ周波数の垂直同期信号ＶＤと、１画素駆動信号用のＨＤＴＶ方式のクロックの１／２倍の周波数のクロック１／２Ｃｌｏｃｋとを入力として受け、対応する分割撮像領域Ｓ０、Ｓ１、・・・、Ｓ７に対して、同時に読み出しアドレスを出力する。従って、８個の水平アドレス回路Ｈａｄ０、Ｈａｄ１、・・・、Ｈａｄ７の各構成はそれぞれ同一である。
【００２３】
垂直同期信号駆動部２３は、水平同期信号２ＨＤ、垂直同期信号ＶＤ及びクロック１／２Ｃｌｏｃｋを入力として受け、かつ、スタートアドレスＶａｄｓとエンドアドレスＶａｄｅを外部より指定できる構成とされており、これにより、画素構成部２１の８つの分割撮像領域Ｓ０〜Ｓ７に対して共通の読み出しライン位置と読み出し範囲を任意に制御できる。上記の画素構成部２１、水平同期信号駆動部２２、垂直同期信号駆動部２３、ＣＤＳ回路２４は、同一の大規模半導体集積回路（ＬＳＩ）基板上に搭載されており、後述のオフセット／ゲイン回路２５と共に、撮像素子であるＣＭＯＳセンサを構成している。
【００２４】
図３の画素構成部２１を構成する８つの分割撮像領域Ｓ０〜Ｓ７のそれぞれは、垂直方向はスタートアドレスＶａｄｓからエンドアドレスＶａｄｅまでのライン範囲で連続して、かつ、水平方向はそれぞれ５１２画素の領域で被写体光像の光量に応じた電荷を発生して電気信号に変換し、ライン数に応じた周波数の垂直同期信号に基づいて、所定の順番でアナログ電気信号を並列に同時出力する。
【００２５】
画素構成部２１から８並列出力された電気信号は、図３の相関二重サンプリング（ＣＤＳ：Ｃｏｒｒｅｌａｔｅｄ  Ｄｏｕｂｌｅ  Ｓａｍｐｌｉｎｇ）回路２４に供給される。ＣＤＳ回路２４は、画素構成部２１に被写体光像を照射して得られた電気信号を、その容量に蓄積しておき、この蓄積電気信号と、画素蓄積部２１のリセット直後で被写体光像の蓄積が無い場合の電気信号とを同時に加えて比較し、それらの差分を被写体光像分の電気信号として出力する。これにより、各画素間のばらつきが低減される。
【００２６】
ＣＤＳ回路２４において８並列入力された電気信号は、各々独立に各画素間のばらつきが上記の如くにして低減された後、オフセット／ゲイン回路２５に供給され、ここで外部からのデータによる制御に基づき、画素構成部２１の設計時の標準値を基にして、８つの各分割撮像領域からの各電気信号を別々に測定しながら、それらが一定値となるように、直流成分と利得を制御して揃えた撮像信号が得られる。
【００２７】
オフセット／ゲイン回路２５から並列に取り出された８つの撮像信号は、Ａ／Ｄ変換器２６に供給され、ここで別々にディジタル撮像信号Ｄ０〜Ｄ７に変換された後、図示しないクランプ回路へ出力されてクランプされた後、出力される。
【００２８】
図４（Ａ）は図１中の撮像装置２の一例のブロック図を示す。図４（Ａ）において、被写体（映画フィルムの光像）はレンズ３１により撮像素子３２に結像される。撮像素子３２は、図３に示した構成であり、前述したように図４（Ｂ）に示す８つの分割撮像領域Ｓ０〜Ｓ７のそれぞれから互いに独立に被写体光像を撮像して、図４（Ｃ）に示すように８組のディジタル撮像信号Ｄ０〜Ｄ７が並列に取り出されて信号処理装置３３に送られる。
【００２９】
信号処理装置３３は並列に入力された８組のディジタル撮像信号Ｄ０〜Ｄ７に対して、暗電流補正・白傷補正・利得調整・色差変換等の信号処理を行い、得られたディジタル撮像信号（画像データ）Ｄ０’〜Ｄ７’を、配列変換装置３４に供給する。配列変換装置３４は入力ディジタル撮像信号を記憶した後、図４（Ｄ）に示すように、縦横各２分割された４分割信号ＨＤ０〜ＨＤ３を並列に出力する。
【００３０】
この４分割信号ＨＤ０〜ＨＤ３は、各々１９２０×１０８０画素のＨＤＴＶ用ディジタル並列信号である（ＢＴＡＳ−００４Ｂ準拠）。各々図４（Ｄ）にＨＤ０〜ＨＤ３で示すＨＤＴＶ画像を示す上記の４分割信号ＨＤ０〜ＨＤ３は、同図（Ｅ）に示すように互いに並列に、かつ、各々並列に配列変換装置３４からＳＤＩ変換装置３５へ供給され、ここで４組並列の信号が各組直列のＳＤＩ信号に変換されてカメラ出力信号とされる。ＳＤＩ信号は、周知のように、放送技術開発協議会（ＢＴＡ：Ｂｒｏａｄｃａｓｔｉｎｇ  Ｔｅｃｈｎｏｌｏｇｙ  Ａｓｓｏｃｉａｔｉｏｎ）による規格ＢＴＡＳ−００２Ｂの直列ディジタルハイビジョン信号である。
【００３１】
ローリングシャッター機能を保有する撮像素子においては、図１０（ｂ）に示されるように連続した蓄積時間となるが、映像信号を読み出さない垂直帰線期間に着目した結果、特にテレシネ装置においては光源１４の発光期間を撮像装置の同期信号において容易に制御できるようにすれば、この垂直帰線期間のみに光源１４の光を映画フィルム１６に照射可能となり各ラインの画素は全て同一時間に光像を得る事ができる。
【００３２】
次に、図１のフィルム映写装置１と撮像装置２との間の動作について、図５のタイミングチャートと共に説明する。まず、撮像装置２から図５（ａ）に示す垂直同期信号ＶＤがフィルム映写装置１の駆動制御装置（図２の１８）に供給される。駆動制御装置１８では垂直同期信号ＶＤを基準にして、図５（ｂ）に示す光源制御信号を生成して光源１４に供給し、光源駆動制御信号のハイレベルの期間、光源１４を発光させ、ローレベルの期間消灯させる。
【００３３】
また、駆動制御装置１８は垂直同期信号ＶＤの図５（ａ）にＢＬで示す垂直帰線消去期間にほぼ対応した期間は供給リール１０のリールモータ及び巻き取りリール１５のリールモータを制御して映画フィルム１６の移動（走行）を停止させ、上記の垂直帰線消去期間以外の映像期間では映画フィルム１６を次の駒まで移動させる。従って、光源１４の発光期間中は図５（ｄ）に示すように映画フィルム１６が静止しており、この発光期間に静止中の映画フィルム１６の１駒の光像が得られ、撮像装置２により撮像される。
【００３４】
続いて、光源１４が消灯すると共に映画フィルム１６が次の垂直帰線消去期間がくるまで図５（ｄ）に示すように移動する。この映画フィルム１６の移動中に、撮像装置２から撮像信号が読み出されて映像信号に変換されて図５（ｃ）に示すように出力される。なお、映画フィルム１６の静止期間は垂直帰線消去期間よりやや多めにしておけば安定した静止状態が得られる。
【００３５】
ハイビジョン映像信号は１秒間に３０枚の画像を送るが（３０Ｐ）、映画フィルムでは１秒間に２４枚（駒）の画像を送る（２４Ｐ）。このため、映画と同じように２４Ｐの画像を撮像装置２から出力する場合、図６に示す様にハイビジョン映像信号の映像信号期間ＶＰ１と等しくなるように、映画フィルム１６の画像信号の映像信号期間ＶＰ２はそのままとし、帰線帰線消去期間ＢＬ２のみ変更する。従って、２４Ｐの映画フィルム１６からの画像信号の帰線消去期間ＢＬ２は、図６に示すように、３０Ｐのハイビジョン映像信号の垂直帰線消去期間ＢＬ１よりも長くなる。この垂直帰線消去期間ＢＬ２に光源１４を発光させることにより、３０Ｐの時より弱い光を長く照射することができ、より実用的である。
【００３６】
次に、本発明の他の実施の形態について図７のタイミングチャートと共に説明する。上記の実施の形態では、垂直帰線消去期間又はそれよりも若干長い期間のみ、光源１４を発光させて映画フィルム１６の光像をローリングシャッターによる撮像装置２により撮像するように説明したが、この実施の形態では、あるＶＤ期間に光源１４を発光させて映画フィルム１６の光像をローリングシャッターによる撮像装置２により撮像するようにしたものである。
【００３７】
すなわち、図７（ａ）に示す垂直同期信号ＶＤを基準にして、図７（ｂ）に示すように、ある映像信号期間Ｉで映画フィルム１６を停止し、かつ、光源１４を発光し、続く１ＶＤ期間ＩＩでは光源１４を消灯すると共に映画フィルム１６を移動し、続く映像信号期間ＩＩＩでは再び映画フィルム１６を停止し、かつ、光源１４を発光することを繰り返した場合、信号成分を図７（ｃ）に示すようにそのハイレベル期間で、すなわち各映像信号期間で読み出すものとすると、映画フィルム１６の駒全体が白色の場合、撮像素子の出力信号は図７（ｄ）にｄ１、ｄ２で示すように、発光期間中では徐々に電荷が蓄積されて信号レベルが白に向かって徐々に高くなり、消灯期間中では徐々に電荷が減少して信号レベルが黒に向かって徐々に低くなる。
【００３８】
そこで、この実施の形態では、図７（ｅ）に示すように、ある映像信号期間Ｉで映画フィルム１６を停止し、かつ、光源１４を発光し、続く１ＶＤ期間ＩＩでは光源１４を消灯すると共に映画フィルム１６を移動し、続く映像信号期間ＩＩＩでは再び映画フィルム１６を停止し、かつ、光源１４を発光することを繰り返した場合、信号成分を図７（ｆ）に示すようにそのハイレベル期間で、すなわち消灯期間内の映像信号期間で読み出す。これにより、図７（ｇ）に示すように、撮像素子からは光源１４の発光期間中に撮像された映画フィルム１６の白色の駒の画像が、そのまま白色を示す信号レベルで読み出される。
【００３９】
このように、本実施の形態によれば、ローリングシャッターの撮像素子を用いてもＶＤの帰線消去期間のみに発光させなくても、最初のＶＤ期間に光源１４を発光させ、次のＶＤ期間に撮像素子から信号を読み出すようにしたため、良好な信号成分を得る事ができる。この場合、映画フィルム１６は光源１４の発光期間以外の期間に移動させることはもちろんである。
【００４０】
次に、光源１４及びその駆動制御回路について説明する。図８（ａ）は光源１４及びその駆動制御回路の一例の回路図を示す。同図中、発光ランプＬａが上記の光源１４に相当し、それ以外の回路部が光源駆動制御回路で駆動制御装置１８内にある。図８（ａ）において、まず昇圧回路４１にて供給電圧Ｖｃｃ（例えば直流１２Ｖ）を発光ランプＬａが発光可能な電圧（例えば２００Ｖ）まで昇圧する。この時高電圧蓄積用コンデンサＣｈに電荷を蓄積しておく。
【００４１】
次に、図８（ｂ）に示す発光制御用パルスの立ち上がり部分に同期した、同図（ｃ）に示す負極性で幅の狭い発光開始パルスＰｓを発光開始用サイリスタＤ２のゲート端子に印加し、サイリスタＤ２のゲート端子をローレベルとすることにより、サイリスタＤ２に電流を流し、これによる抵抗Ｒ１の電圧変化をコンデンサＣ１、トランスＴ１を介して発光ランプＬａに加え、この発光ランプＬａを励起して発光させる。この時瞬間的に大電流が流れるが、この電流は高電圧蓄積用コンデンサＣｈより供給される。
【００４２】
次に、図８（ｂ）に示す発光制御用パルスの立下り部分に同期した、同図（ｄ）に示す負極性で幅の狭い発光停止用パルスＰｅを発光終了用サイリスタＤ１のゲート端子に印加することにより、このサイリスタＤ１をターンオンして、高電圧蓄積用コンデンサＣｈに蓄積された電荷をサイリスタＤ１を通して放出して発光ランプＬａに流れる電流を停止する。以後これを繰り返す。発光ランプＬａの発光量は図８（ｅ）に示すようになる。
【００４３】
ハイビジョン映像信号の走査線数は１１２５本であるが、このうち映像部分の走査線数は１０８０本なので、それらの差の４５本の走査期間が垂直帰線消去期間となり、発光ランプＬａの発光期間は、例えばこの垂直帰線消去期間以内に設定される。
【００４４】
なお、本発明は以上の実施の形態に限定されるものではなく、例えば、撮像素子の画素構成は図３に限定されるものではなく、要は複数のハイビジョン映像信号が出力されればよい。
【００４５】
【発明の効果】
以上説明したように、本発明によれば、ローリングシャッター機能を有する高精細撮像装置から映画フィルムの一駒の画像に関する複数のハイビジョン映像信号を得ることにより、映画フィルムの光像を撮像した、ハイビジョン方式（ＨＤＴＶ方式）の画像よりも高解像度のディジタル画像信号を得るようにしたため、映画フィルムの各駒の画像を写真並みの高画質、高解像度で短時間に得ることができる。
【図面の簡単な説明】
【図１】本発明のテレシネ装置の一実施の形態の概略構成図である。
【図２】図１中のフィルム映写装置の一例の詳細構成図である。
【図３】図１中の撮像装置に用いられるローリングシャッター機能を有する高精細撮像素子の一例の構成図である。
【図４】図１中の撮像装置の一例のブロック図と各部の信号説明図である。
【図５】本発明におけるフィルム映写装置と撮像装置との間の動作説明用タイミングチャートである。
【図６】３０Ｐと２４ＰのＶＤの説明図である。
【図７】本発明の他の実施の形態のタイミングチャートである。
【図８】本発明に用いる光源及びその駆動制御回路の一例の回路図と各部の信号波形図である。
【図９】従来のテレシネの基本構成を示す図である。
【図１０】シャッター動作を示す図である。
【符号の説明】
１  フィルム映写装置
２  撮像装置
３ａ〜３ｄ  画像記録装置
１０  供給リール
１１  スプロケット
１２  光学装置
１３  シャッター部
１４  光源
１５  巻き取りリール
１６  映画フィルム
１７  ガイドポール
１８  駆動制御装置
２１  画素構成部
２２  水平同期信号駆動部
２３  垂直同期信号駆動部
２６  Ａ／Ｄ変換器
３１  レンズ
３２  撮像装置
３３  信号処理装置
３４  配列変換装置
３５  ＳＤＩ変換装置
４１  昇圧回路
Ｌａ  発光ランプ
Ｄ１  発光終了用サイリスタ
Ｄ２  発光開始用サイリスタ
Ｃｈ  高電圧蓄積用コンデンサ
【図１】
2004166026.tif 000003
【図２】
2004166026.tif 000004
【図３】
2004166026.tif 000005
【図４】
2004166026.tif 000006
【図５】
2004166026.tif 000007
【図６】
2004166026.tif 000008
【図７】
2004166026.tif 000009
【図８】
2004166026.tif 000010
【図９】
2004166026.tif 000011
【図１０】
2004166026.tif 000012